(57)【要約】      （修正有）【課題】最も安全な盗難防止用鍵を作成する。【解決手段】外部永久磁石１０のＳ極は玄関扉の室外に貼ってある厚いアルミニュム板を透過してラッチボルトを抽出する装置６の円形永久磁石２２のＮ極を吸引する。円形永久磁石２２が外部永久磁石１０の方に引き寄せられるとドライブ・ベルト４も引き寄せられ、ラッチボルト１はストライク２から抽出する。玄関扉のラッチボルトを抽出する装置６の位置から外部永久磁石１０が離れると２枚の円形永久磁石Ｍ１（Ｎ極或いはＳ極）とＭ２（Ｎ極或いはＳ極）は同じ極性にしてあるのでＭ１とＭ２間で反発作用が働き、反発力でラッチボルト１はストライク２の中に挿入し、自動的に鍵が掛かる。【選択図】図２
2005030185.tif 000002
【特許請求の範囲】
【請求項１】
ラッチボルト（１）とストライク（２）及びラッチボルトを支える容器（３ａ）と、
該ストライク（２）の中にラッチボルト（１）を挿入する時にラッチボルト（１）の後方に細い接続用円柱棒（７ｄ）を２枚の円形永久磁石Ｍ１とＭ２とで構成した装置（７）に結合し、ストライク（２）の中からラッチボルト（１）を抽出する時にラッチボルト（１）の後方にドライブ・ベルト（４）を接合し、ドライブ・ベルト（４）の安定した動力伝達用の歯車（５）を介してラッチボルト（１）を抽出する装置（６）に接合する。ラッチボルト（１）を抽出する装置（６）の構造は円柱棒（２０）とヨーク（２１）の中に円形永久磁石（２２）を挿入し、（２０）と（２１）及び（２２）を一体化した装置（２５）を塩化ビニールの容器の内部（２７）に装荷し、円柱棒の先端の切り込んだ溝（２３）にドライブ・ベルト（４）を差し込んでネジ（２４）で固定にした。
外部永久磁石（１０）の磁力線が玄関扉の室外に貼ってある厚いアルミニュム板（１０ｂ）を透過して抽出する装置（６）に入ると、抽出する装置（６）の円形永久磁石（２２）Ｎ極は外部永久磁石（１０）Ｓ極で吸引作用（クーロンの法則）が働き、円形永久磁石（２２）は外部永久磁石（１０）の方に引き寄せられるとドライブ・ベルト（４）も引き寄せられラッチボルト（１）はストライク（２）の中から抽出する。
ラッチボルト抽出する装置（６）の位置から外部永久磁石（１０）が離れると２枚の円形永久磁石Ｍ１（Ｎ極或いはＳ極）とＭ２（Ｎ極或いはＳ極）は同じ極性にしてあるのでＭ１とＭ２間で反発作用が働き、反発力でラッチボルト（１）はストライク（２）の中に挿入し、自動的に鍵が掛かる。
防犯対策でラッチボルト（１）を抽出する装置（６）の位置を変えたい場合ドライブ・ベルト（４）の長さを変えれば簡単に出来る。
永久磁石の代わりに電磁磁石を用いると災害で停電するとこの盗難防止用鍵は作動しなくなり、玄関扉は開かなくなる。
全て永久磁石を利用しているのでそのような心配はなく最も安全な盗難防止用鍵の装置。
【請求項２】
鍵穴のない玄関扉にラッチボルトだけの盗難防止用鍵装置を取り付け、盗難防止用鍵が永久磁石で開錠出来る事が分かれば、泥棒は玄関扉の室外に貼ってある厚いアルミニュム板（１０ｂ）の表面の上下左右に外部永久磁石（１０）で走査して、ラッチボルト（１）を抽出する装置（６）の位置を探す事になる。抽出する装置（６）を中心にして左右上下換言すれば回りに複数個を並列接続回路（３６）にして盗難を知らせるベル装置（９）を配置する必要がある。
盗難を知らせるベル装置（９）の構造は（２０）と（２１）及び（２２）を一体化して塩化ビニールを加工した容器内部（２７）に装荷し、容器外部に出た円柱棒（２０）の先端に円板（３２）を取り付けて円柱棒の周囲にスプリング（３１）を入れて可動部を設けた。円柱棒の先端に取り付けた円板の近くにベル・スイッチを置き、ベル・スイッチ（３３）の端子の一端に電池（３４）の＋側を接続し、電池の−側をベル（３５）端子に接続する。ベルの一方の端子はベル・スイッチの一方の端子に接続する。電池（３４）とベルスイッチ及びベルは直列回路になる。
ラッチボルトを抽出する装置（６）以外の所に外部磁石（１０）Ｓ極が来るとベル装置（９）（図１０参照）内の円形永久磁石Ｎ極（２２）は吸引作用が働き外部永久磁石（１０）の方へ引き寄せられた時円板も同時に引き寄せられるのでベル・スイッチ（３３）がＯＮになってベルが鳴る。複数個を取り付ければ連続してベル音が鳴るので（図９参照）ラッチボルト抽出する装置（６）の位置が探しにくくなるように構成した装置。
【請求項３】
ラッチボルト（１）とストライク（２）及びラッチボルトを支える容器（３ａ）と、
該ストライク（２）の中へラッチボルト（１）を挿入する時にラッチボルト（１）の後方に細い接続用円柱棒（７ｄ）を２枚の円形永久磁石Ｍ１とＭ２（同じ極性であるから反発作用）とで構成した装置（７）に結合し、ストライク（２）の中からラッチボルト（１）を抽出する時にラッチボルト（１）の後方にドライブ・ベルト（４）を接合し、ドライブ・ベルトの安定した動力伝達用の歯車（５）を介してラッチボルト（１）を抽出する装置（６）に接合する。ラッチボルト（１）を抽出する装置（６）の構造は円柱棒（２０）とヨーク（２１）の中に円形永久磁石（２２）を挿入し、（２０）と（２１）及び（２２）を一体化した装置（２５）を塩化ビニールの容器の内部（２７）に装荷し、円柱棒の先端の切り込んだ溝（２３）にドライブ・ベルト（４）を差し込んでネジ（２４）で固定にした。
一方デットボルト（１１）とストライク（１２）及びデットボルトを支える容器（１３ａ）と、
該ストライク（１２）の中にデットボルト（１１）を挿入する時にデットボルト（１１）の後方に細い接続用円柱棒（１７ｄ）を２枚の円形永久磁石Ｍ１とＭ２（同じ極性であるから反発作用）とで構成した装置（１７）に結合し、ストライクの中からデットボルト（１１）を抽出する時にデットボルト（１１）の後方にドライブ・ベルト（１４）を接合し、ドライブ・ベルトの安定した動力伝達用の歯車（１５）を介してデットボルト（１１）を抽出する装置（１６）に接合する。デットボルト（１１）を抽出する装置（１６）の構造は円柱棒（２０）とヨーク（２１）の中に円形永久磁石（２２）を挿入し、（２０）と（２１）及び（２２）を一体化した装置（２５）を塩化ビニールの容器の内部（２７）に装荷し、円柱棒の先端の切り込んだ溝（２３）にドライブ・ベルト（１４）を差し込んでネジ（２４）で固定にした。
ラッチボルトの場合は外部永久磁石（１０）の磁力線は玄関扉の室外に貼ってある厚いアルミニュム板（１０ｂ）を透過して抽出する装置（６）に入ると、ラッチボルトを抽出する装置（６）の円形永久磁石（２２）Ｎ極は外部永久磁石（１０）Ｓ極で吸引作用が働き、円形永久磁石（２２）は外部永久磁石（１０）の方に引き寄せられるとドライブ・ベルト（４）も引き寄せられラッチボルトは抽出する。
デットボルトの場合は外部永久磁石（１９）の磁力線は玄関扉の室外に貼ってある厚いアルミニュム板（常磁性体１０ｂ）を透過して抽出する装置（１６）に入ると、抽出する装置（１６）の円形永久磁石（２２）Ｎ極は外部永久磁石（１９）Ｓ極で吸引作用が働き、円形永久磁石（２２）は外部永久磁石（１９）の方に引き寄せられるとドライブ・ベルト（１４）も引き寄せられデットボルトは抽出する。
外部永久磁石（１０と１９）を抽出する装置（６とは１６）の位置から離れると２枚の円形永久磁石Ｍ１（Ｎ極或いはＳ極）とＭ２（Ｎ極或いはＳ極）（７と１７）は同じ極性にしてあるので反発作用が働きそれぞれのストライクの中にラッチボルトもデットボルトも挿入し、自動的に鍵が掛かる。
２個の外部永久磁石（１０）と（１９）はそれぞれ抽出する装置（６）と（１６）の位置の所に正しく合わせないとラッチボルトもデットボルトも抽出出来ない。
ラッチボルトとデットボルトの２個の外部永久磁石を用いているので、盗難を知らせるベル装置が不要になる。更に安全度を向上させるにはドライブ・ベルト（４と１４）の長さをそれぞれ変えて抽出する装置（６と１６）の位置を変えれば、外部永久磁石（１０）と（１９）を用いて抽出する装置６と１６の位置を探すのが大変である。この装置がこの盗難防止用鍵の優れているところである。
永久磁石の代わりに電磁磁石を用いると災害で停電した場合盗難防止用鍵は作動しなくなり、玄関扉は開かなくなる。
全て永久磁石を利用しているのでそのような心配はなく最も安全な盗難防止用鍵の装置。
【発明の詳細な説明】
【発明の詳細な説明】
【産業上の利用分野】
【０００１】  本発明は、玄関扉に鍵穴は無く、扉の室外にはハンドルだけである。玄関扉の室外と室内の枠の中に最も安全な盗難防止用鍵の装置を装荷する。
ストライクの中からラッチボルト（６）およびデットボルト（１６）を抽出する装置に室外から外部永久磁石（強磁性体１０と１９）を動かして置くと外部永久磁石（１０又は１９）の磁力線はアルミニュム（常磁性体１０ｂ）を透過して抽出装置内の円板型永久磁石を吸引する作用が働いて各々のストライクの中にあるラッチボルトもデットボルトも抽出する。外部永久磁石を取るとラッチボルトとデットボルトは挿入する。挿入する動作について詳細に述べる。
ストライクの中にラッチボルト（１）及びデットボルト（１１）を挿入する時にラッチボルト（１）及びデットボルト（１１）の後方に細い接続用円柱棒（７ｄ及び１７ｄ）を２枚の円形永久磁石Ｍ１とＭ２とで構成した装置（７及び１７）に結合する。
ラッチボルトとデットボルトを抽出する装置（６と１６）の位置から外部永久磁石（１０と１９）が離れると２枚の円形永久磁石Ｍ１（Ｎ極或いはＳ極）とＭ２（Ｎ極或いはＳ極）（７と１７）は同じ極性にしてあるので反発作用が働きラッチボルトもデットボルトもストライク（２と１２）の中に挿入し、自動的に鍵が掛かる。
玄関扉の枠の中に装荷した最も安全な盗難防止用鍵の装置は２個の外部永久磁石（１０と１９）で玄関扉の開閉が出来る。
現在騒がれているピッキングと電動ドリルで扉の１部に穴を開けてサムターン回しをするか或いは郵便受けから腕をいれて鍵を開錠するかである。また鍵穴に異物を挿入されて開錠出来ない等の問題は全て解決される。家人を除いてどうして玄関扉を開ければ良いか分からない最も安全な盗難防止用鍵の装置に関するものである。
【背景技術】
【０００２】  従来から図１に示すように玄関扉にはシリンダが取り付けられ、更に補助鍵を設けている。鍵穴に鍵を挿入して開錠し玄関扉を開閉する。最も代表的な鍵が採用されている。【０００３】  現在主流となっているの玄関扉の鍵については図１示す。現在騒がれているピッキングと玄関扉の一部に電動ドリルで扉に穴を開けてサムターン回しをするか或いは郵便受けから腕をいれて鍵を１０分以内で開錠する。このような方法で玄関扉を開けて泥棒が進入する場合が非常に多い。
【発明が解決しようとする課題】
【０００４】  従って本発明は、玄関扉の室外表面には鍵穴はなく、扉の右側或いは左側にはハンドルが取り付けてある玄関扉を作成し、玄関扉の枠内に盗難防止用鍵の装荷して泥棒の進入を防ぐ最も安全な盗難防止用鍵を実現することを目的とする。
【問題を解決するための手段】
【０００５】  上記の目的を達成するために、本発明に係わる最初の鍵穴のない玄関扉に取り付ける最も安全な盗難防止用鍵の構造は図２に示す。固定した玄関扉に取り付けられたストライク（２）の中にラッチボルト（１）を挿入した時玄関扉は鍵が掛かった状態になる。玄関扉を強く引いてもラッチボルト（１）が強度に十分耐えられるように容器（３ａ）で支えた。
ラッチボルト（１）を挿入する時にラッチボルト（１）の後方に細い接続用円柱棒（７ｄ）を２枚の円形永久磁石Ｍ１（Ｎ極或いはＳ極）とＭ２（Ｎ極或いはＳ極）（７）は同じ極性にしてあるので反発作用が働き反発力でラッチボルト（１）はストライク（２）の中に挿入し、自動的に鍵が掛かる。
ラッチボルト（１）を抽出する時にラッチボルト（１）の後方にドライブ・ベルト（４）を接合し、ドライブ・ベルト（４）の安定した動力伝達用の歯車（５）を介してラッチボルト（１）を抽出する装置（６）に接合する。図６に示すようにラッチボルト（１）を抽出する装置（６）の構造は円柱棒（２０）とヨーク（２１）の中に円形永久磁石（２２）を挿入し、（２０）と（２１）及び（２２）を一体化した装置（２５）を塩化ビニールの容器の内部に装荷し、円柱棒の先端の切り込んだ溝（２３）にドライブ・ベルト（４）を差し込んでネジ（２４）で固定にした。
外部永久磁石（強磁性体１０）の磁力線は玄関扉の室外に貼ってある厚いアルミニュム板（厚いアルミニュム板は常磁性体であるので磁性を示さない（１０ｂ））を透過して抽出する装置（６）に入ると、外部永久磁石（１０）の磁力線は抽出する装置（６）の円形永久磁石（２２）Ｎ極は外部永久磁石（１０）Ｓ極で吸引作用が（クーロンの法則に従って）働き、円形永久磁石（２２）は外部永久磁石（１０）の方に引き寄せられるとドライブ・ベルト（４）も引き寄せられるのでストライク（２）の中からラッチボルトが抽出する。
ラッチボルトを抽出する装置（６）の位置から外部永久磁石（１０）が離れると２枚の円形永久磁石Ｍ１（Ｎ極或いはＳ極）とＭ２（Ｎ極或いはＳ極）は同じ極性にしてあるのでＭ１とＭ２間で反発作用（クーロンの法則）が働き、ストライクの中にラッチボルトが挿入し、自動的に鍵が掛かる。
全て永久磁石を利用しているので簡単な回路構成で形成出来るので最も安全な盗難防止用鍵の装置を備えている。
【０００６】  更に本発明では、２番目の盗難を知らせるベル装置の詳細な構造を図８に示す。
図８に示すように盗難を知らせるベル装置（９）の構造は（２０）と（２１）及び（２２）を一体化して塩化ビニールを加工した容器内部（２７）に装荷し、容器外部に出た円柱棒（２０）の先端に円板（３２）を取り付けて円柱棒の周囲にスプリング（３１）を入れて可動部を設けた。円柱棒の先端に取り付けた円板の近くにベル・スイッチを置き、ベル・スイッチ（３３）の端子の一端に電池（３４）の＋側を接続し、電池の−側をベル（３５）端子に接続する。ベルの一方の端子はベル・スイッチの一方の端子に接続する。電池（３４）とベル・スイッチ及びベルは直列回路になる。
外部永久磁石（１０）Ｓ極の磁力線はアルミニューム（１０ｂ）を透過してベル装置（９）来ると円形永久磁石Ｎ極（２２）は吸引作用が働き外部永久磁石（１０）の方へ引き寄せられた時円板も同時に引き寄せられるのでベル・スイッチ（３３）がＯＮになってベルが鳴る。
ベル装置（９）の位置から外部永久磁石（１０）が離れるとスプリングの反発力で円形永久磁石Ｎ極（２２）と円板は抽出し、ベル・スイッチはＯＦＦなり、ベルの音は止まる。
玄関扉の室外のアルミニュームの表面を外部永久磁石（１０）で走査してもラッチボルトを抽出する装置（６）の位置が探しにくくなるように、図１０に示すようにラッチボルトを抽出する装置（６）の周囲に盗難を知らせるベル装置（９）を複数個配置する。ベル装置（９）を複数個配置時の並列接続回路（３６）を図９に示す。
このベル装置（９）のベル音でラッチボルトを抽出する装置（６）の位置を見付けるのに時間を要し泥棒の進入を防げる装置を備えている。
【０００７】  更に本発明では、３番目の鍵穴のない玄関扉に取り付ける最も安全な盗難防止用鍵装置の構造を図３に示す。
図３に示すように固定の玄関扉に取り付けられたストライク（２）の中にラッチボルト（１）が挿入した時玄関扉は鍵が掛かった状態になる。玄関扉を強く引いてもラッチボルト（１）が強度に十分耐えられるような容器（３ａ）で支えた。
ラッチボルト（１）を挿入する時にラッチボルト（１）の後方に細い接続用円柱棒（７ｄ）を２枚の円形永久磁石Ｍ１（Ｎ極或いはＳ極）とＭ２（Ｎ極或いはＳ極）（７）は同じ極性にしてあるので反発作用が働き反発力でラッチボルトは挿入し、自動的に鍵が掛かる。
ストライクの中からラッチボルト（１）を抽出する時にラッチボルト（１）の後方にドライブベルト（４）を接合し、ドライブ・ベルト（４）の安定した動力伝達用の歯車（５）を介してラッチボルト（１）を抽出する装置（６）に接合する。図６に示すようにラッチボルト（１）を抽出する装置（６）の構造は円柱棒（２０）とヨーク（２１）の中に円形永久磁石（２２）を挿入し、（２０）と（２１）及び（２２）を一体化した装置（２５）を塩化ビニールの容器の内部（２７）に装荷し、円柱棒の先端の切り込んだ溝（２３）にドライブ・ベルト（４）を差し込んでネジ（２４）で固定にした。
外部永久磁石（強磁性体１０）の磁力線は玄関扉の室外に貼ってある厚いアルミニュム板（厚いアルミニュム板は常磁性体であるので磁性を示さない（１０ｂ））を透過して抽出する装置（６）に入ると、外部永久磁石（１０）の磁力線は抽出する装置（６）の円形永久磁石（２２）Ｎ極は外部永久磁石（１０）Ｓ極で吸引作用が（クーロンの法則に従って）働き、円形永久磁石（２２）は外部永久磁石（１０）の方に引き寄せられるとドライブ・ベルト（４）も引き寄せられるのでストライク（２）の中に挿入されたラッチボルトが抽出する。
ラッチボルトを抽出する装置（６）の位置から外部永久磁石（１０）が離れると２枚の円形永久磁石Ｍ１（Ｎ極或いはＳ極）とＭ２（Ｎ極或いはＳ極）は同じ極性にしてあるのでＭ１とＭ２間で反発作用（クーロンの法則）が働き、反発力でラッチボルトはストライクの中に挿入し、自動的に鍵が掛かる。
図３に示すように固定にした玄関扉に取り付けられたストライク（１２）の中にデットボルト（１１）が挿入した時玄関扉は鍵が掛かった状態になる。玄関扉を強く引いてもデットボルト（１１）が強度に十分耐えられるように容器（１３ａ）で支えた。
デットボルト（１１）を挿入する時にデットボルト（１１）の後方に細い接続用円柱棒（１７ｄ）を２枚の円形永久磁石Ｍ１（Ｎ極或いはＳ極）とＭ２（Ｎ極或いはＳ極）（１７）は同じ極性にしてあるので反発作用が働き、反発力でラッチボルトはストライクの中に挿入し、自動的に鍵が掛かる。
デットボルト（１１）をストライク中から抽出する時にデットボルト（１１）の後方にドライブベルト（１４）を接合し、ドライブ・ベルト（１４）の安定した動力伝達用の歯車（１５）を介してデットボルト（１１）を抽出する装置（１６）に接合する。図６に示すようにデットボルト（１１）を抽出する装置（１６）は円柱棒（２０）とヨーク（２１）の中に円形永久磁石（２２）を挿入し、（２０）と（２１）及び（２２）を一体化した装置（２５）を塩化ビニールの容器の内部（２７）に装荷し、円柱棒の先端の切り込んだ溝（２３）にドライブ・ベルト（４）を差し込んでネジ（２４）で固定にした。
外部永久磁石（強磁性体１９）の磁力線は玄関扉の室外に貼ってある厚いアルミニュム板（厚いアルミニュム板は常磁性体であるので磁性を示さない（１０ｂ））を透過して抽出する装置（１６）に入ると、外部永久磁石（１９）の磁力線は抽出する装置（１６）の円形永久磁石（２２）Ｎ極は外部永久磁石（１９）Ｓ極で吸引作用が（クーロンの法則に従って）働き、円形永久磁石（２２）は外部永久磁石（１９）の方に引き寄せられるとドライブ・ベルト（１４）も引き寄せられるのでデットボルトはストライクの中から抽出する。
デットボルトを抽出する装置（１６）の位置から外部永久磁石（１９）が離れると２枚の円形永久磁石Ｍ１（Ｎ極或いはＳ極）とＭ２（Ｎ極或いはＳ極）は同じ極性にしてあるのでＭ１とＭ２間で反発作用（クーロンの法則）が働き、反発力でデットボルトはストライク（１２）の中に挿入し、自動的に鍵が掛かる。
全て永久磁石を利用しているので簡単な回路構成で形成出来るので最も安全な盗難防止用鍵の装置を備えている。
【発明を実施するための最良の形態】
【０００８】  次に本発明の実施の形態を述べると、図面を用いて説明する。本発明による最初の鍵穴のない玄関扉に取り付ける最も安全な盗難防止用鍵の詳細な構造を図２に示す。
図２示すように固定の玄関扉に取り付けられたストライク（２）の中にラッチボルト（１）が挿入した時玄関扉は鍵が掛かった状態になる。玄関扉を強く引いてもラッチボルト（１）が強度に十分耐えられるように容器（３ａ）で支えた。
ラッチボルト（１）を一時的に停止したい時は容器（３ａ）の横に出ているネジ（３）を閉めれば良い。通常はネジ（３）を緩めておかないと自動的に鍵を開閉出来ない。
ラッチボルト（１）を挿入する時にラッチボルト（１）の後方に細い接続用円柱棒（７ｄ）を２枚の円形永久磁石Ｍ１（Ｎ極或いはＳ極）とＭ２（Ｎ極或いはＳ極）（７）は同じ極性にしてあるので反発作用が働き、反発力でラッチボルト（１）はストライク（２）に挿入し、自動的に鍵が掛かる。
ラッチボルト（１）を抽出する時にラッチボルト（１）の後方にドライブ・ベルト（４）を接合し、ドライブ・ベルト（４）の安定した動力伝達用の歯車（５）を介してラッチボルト（１）を抽出する装置（６）に接合する。
図６に示すようにラッチボルト（１）を抽出する装置（６）の構造は図６に示すようにヨーク（２１）の面の中心に円柱棒（２０）を垂直に立つように溶接するとＴ字型のようになる。ヨーク（２１）の中に円形永久磁石（２２）を入れて一体化した装置（２５）を塩化ビニールの容器の内部（２７）に挿入した。塩化ビニールの容器（２６）の外部に出た円柱棒の先端の切り込んだ溝（２３）にドライブ・ベルト（４）を差し込んでネジ（２４）で固定にした。
外部永久磁石（強磁性体１０）の磁力線は玄関扉の室外に貼ってある厚いアルミニュム板（厚いアルミニュム板は常磁性体であるので磁性を示さない（１０ｂ））を透過して抽出する装置（６）に入ると、外部永久磁石（１０）の磁力線は抽出する装置（６）の円形永久磁石（２２）Ｎ極は外部永久磁石（１０）Ｓ極で吸引作用が（クーロンの法則に従って）働き、円形永久磁石（２２）は外部永久磁石（１０）の方に引き寄せられるとドライブ・ベルト（４）も引き寄せられるのでラッチボルトは抽出する。
抽出する装置（６）の位置から外部永久磁石（１０）が離れると２枚の円形永久磁石Ｍ１（Ｎ極或いはＳ極）とＭ２（Ｎ極或いはＳ極）は同じ極性にしてあるのでＭ１とＭ２間で反発作用（クーロンの法則）が働き、反発力でラッチボルトはストライクの中に挿入し、自動的に鍵が掛かる。
このような鍵を利用すると玄関扉の室外には鍵穴がないので泥棒にとってはピッキングやサムターン回しは通用せず、どの様な鍵構造か分からないので泥棒は進入する事が出来ない。【０００９】  次に２番目の発明の実施の形態を述べると、図面を用いて説明する。
２番目の盗難を知らせるベル装置の構造は図８に示す。図８に示すように盗難を知らせるベル装置（９）の構造は（２０）と（２１）及び（２２）を一体化して塩化ビニールを加工した容器内部（２７）に装荷し、容器の外部に出た円柱棒（２０）の先端に円板（３２）を取り付けて円柱棒の周囲にスプリング（３１）を入れてスプリング（３１）の巻き始めは塩化ビニールのところで固定し、巻き終わりは円板（３２）で押さえて可動部を設けた。
円柱棒の先端に取り付けた円板の近くにベル・スイッチを置き、ベル・スイッチ（３３）の端子の一端に電池（３４）の＋側を接続し、電池の−側をベル（３５）端子に接続する。ベルの一方の端子はベル・スイッチの一方の端子に接続する。電池（３４）とベルスイッチ及びベルは直列回路になる。
外部永久磁石（１０）Ｓ極の磁力線はアルミニューム（常磁性体１０ｂ）を透過してベル装置（９）に入ると円形永久磁石Ｎ極（２２）は吸引作用が働き外部永久磁石（１０）の方へ引き寄せられた時円板も同時に引き寄せられるのでベル・スイッチ（３３）がＯＮになってベルが鳴る。
ベル装置（９）の位置から外部永久磁石（１０）が離れるとスプリングの反発力で円形永久磁石Ｎ極（２２）と円板は抽出し、ベル・スイッチはＯＦＦなり、ベルの音は止まる。
玄関扉の室外のアルミニュームの表面（１０ｂ）を外部永久磁石（１０）で走査してもラッチボルトを抽出する装置（６）の位置が極めて探しにくくなるように、図１０に示すようにラッチボルトを抽出する装置（６）の周囲に盗難を知らせるベル装置（９）を複数個配置する。
図１０に示す盗難を知らせるベル装置（９）を複数個配置する時の並列回路接続（３６）を図９に示す。
このベル装置（９）のベル音でラッチボルトを抽出する装置（６）の位置を見付けるのに時間を要し泥棒の進入を防げる。【００１０】  次に３番目の発明の実施の形態を述べると、図面を用いて説明する。
本発明による３番目の鍵穴のない玄関扉に取り付ける最も安全な盗難防止用鍵の詳細な構造を図３に示す。
図３示すように固定した玄関扉に取り付けられたストライク（２）の中にラッチボルト（１）が挿入した時玄関扉は鍵が掛かった状態になる。玄関扉を強く引いてもラッチボルト（１）が強度に十分耐えられるように容器（３ａ）で支えた。
ラッチボルト（１）を一時的に停止したい時は容器（３ａ）の横に出ているネジ（３）を閉めれば良い。通常はネジ（３）を緩めておかないと自動的に鍵を開閉出来ない。
ラッチボルト（１）を挿入する時にラッチボルト（１）の後方に細い接続用円柱棒（７ｄ）を２枚の円形永久磁石Ｍ１（Ｎ極或いはＳ極）とＭ２（Ｎ極或いはＳ極）（７）は同じ極性にしてあるので反発作用が働き、反発力でラッチボルトはストライクの中に挿入し、自動的に鍵が掛かる。
ラッチボルト（１）を抽出する時にラッチボルト（１）の後方にドライブ・ベルト（４）を接合し、ドライブ・ベルト（４）の安定した動力伝達用の歯車（５）を介してラッチボルト（１）を抽出する装置（６）に接合する。
図６に示すようにラッチボルト（１）を抽出する装置（６）の構造は図６に示すようにヨーク（２１）の面の中心に円柱棒（２０）を垂直に立つように溶接するとＴ字型のようになる。ヨーク（２１）の中に円形永久磁石（２２）を入れて一体化した装置（２５）を塩化ビニールの容器の内部（２７）に挿入した。塩化ビニールの容器（２６）の外部に出た円柱棒の先端の切り込んだ溝（２３）にドライブ・ベルト（４）を差し込んでネジ（２４）で固定にした。
外部永久磁石（強磁性体１０）の磁力線は玄関扉の室外に貼ってある厚いアルミニュム板（厚いアルミニュム板は常磁性体であるので磁性を示さない（１０ｂ））を透過して抽出する装置（６）に入ると、外部永久磁石（１０）の磁力線は抽出する装置（６）の円形永久磁石（２２）Ｎ極は外部永久磁石（１０）Ｓ極で吸引作用が（クーロンの法則に従って）働き、円形永久磁石（２２）は外部永久磁石（１０）の方に引き寄せられるとドライブ・ベルト（４）も引き寄せられるのでラッチボルトはストライクの中から抽出する。
ラッチボルトを抽出する装置（６）の位置から外部永久磁石（１０）が離れると２枚の円形永久磁石Ｍ１（Ｎ極或いはＳ極）とＭ２（Ｎ極或いはＳ極）は同じ極性にしてあるのでＭ１とＭ２間で反発作用（クーロンの法則）が働き、反発力でストライクの中にラッチボルトは挿入し、自動的に鍵が掛かる。
図３示すように固定玄関扉に取り付けられたストライク（１２）の中にデットボルト（１１）がストライク（１２）の中に挿入した時玄関扉は鍵が掛かった状態になる。玄関扉を強く引いてもデットボルト（１１）が強度に十分耐えられるように容器（１３ａ）で支えた。
デットボルト（１１）を一時的に停止したい時は容器（１３ａ）の横に出ているネジ（１３）を閉めれば良い。通常はネジ（１３）を緩めて置かないと自動的に鍵を開閉出来ない。
デットボルト（１１）をストライク（１２）の中に挿入する時にデットボルト（１１）の後方に細い接続用円柱棒（１７ｄ）を２枚の円形永久磁石Ｍ１（Ｎ極或いはＳ極）とＭ２（Ｎ極或いはＳ極）（１７）は同じ極性にしてあるので反発作用が働き、反発力でデットボルトはストライクの中に挿入し、自動的に鍵が掛かる。
デットボルト（１１）を抽出する時にデットボルト（１１）の後方にドライブ・ベルト（１４）を接合し、ドライブ・ベルト（１４）の安定した動力伝達用の歯車（１５）を介してデットボルト（１１）を抽出する装置（１６）に接合する。
図６に示すようにデットボルト（１１）を抽出する装置（１６）の構造は図６に示すようにヨーク（２１）の面の中心に円柱棒（２０）を垂直に立つように溶接するとＴ字型のようになる。ヨーク（２１）の中に円形永久磁石（２２）を入れて一体化した装置（２５）を塩化ビニールの容器の内部（２７）に挿入した。塩化ビニールの容器（２６）の外部に出た円柱棒の先端の切り込んだ溝（２３）にドライブ・ベルト（１４）を差し込んでネジ（２４）で固定にした。
外部永久磁石（強磁性体１０）の磁力線は玄関扉の室外に貼ってある厚いアルミニュム板（厚いアルミニュム板（１０ｂ）は常磁性体であるので磁性を示さない）を透過して抽出する装置（１６）に入ると、外部永久磁石（１９）の磁力線は抽出する装置（１６）の円形永久磁石（２２）Ｎ極は外部永久磁石（１９）Ｓ極で吸引作用が（クーロンの法則に従って）働き、円形永久磁石（２２）は外部永久磁石（１９）の方に引き寄せられるとドライブ・ベルト（１４）も引き寄せられるのでデットボルトはストライクの中から抽出する。
デットボルトを抽出する装置（１６）の位置から外部永久磁石（１９）が離れると２枚の円形永久磁石Ｍ１（Ｎ極或いはＳ極）とＭ２（Ｎ極或いはＳ極）は同じ極性にしてあるのでＭ１とＭ２間で反発作用（クーロンの法則）が働き、反発力でストライクの中へデットボルトは挿入し、自動的に鍵が掛かる。
このように２重に鍵を利用すると玄関扉の室外に鍵穴がないので泥棒にとってはピッキングやサムターン回しは通用せず、どの様な鍵構造に成っているのか分からないので進入する事が出来ない。
【発明の効果】
【００１１】  以上２種類の鍵穴のない玄関扉に取り付ける最も安全な盗難防止用鍵について詳細に述べた。別の１種類については盗難を知らせるベル装置についても詳細に述べた。従来から使用されているシリンダ錠と補助鍵ではピッキングや電動ドリルで玄関扉の一部に穴を開けてサムターン回しをして開錠する方法が非常に多い。
この難問題を解決するために従来の方式と異なった玄関扉にシリンダがなく、あるのはハンドルだけがあると言う特殊な鍵を発明した。
泥棒に取ってはどうして玄関扉を開けたら良いか分からず時間だけ過ぎ去る。もし磁石を用いれば開錠出来ると言う情報を得ても磁界の強さや磁石の磁極そうして玄関扉のどの位置に開錠するところが有るのか分からない。
構造が簡単で外部永久磁石を１個ないし２個用いて開錠する事が出来て、開錠する位置は家人以外は分からない。最も安全な盗難防止用鍵になる。
【図面の簡単な説明】
【図１】  従来の玄関扉に取り付けた鍵の一例を示す図である。
【図２】  本発明に関する構造の全体図である。
【図３】  本発明に関する構造の全体図である。
【図４】  本発明に関する盗難防止用鍵を使用した為に玄関扉に鍵穴が無い。
【図５】  全断面図は、基本中心線を中心にして２分の１だけを断面とする。
【図６】  本発明に関する構造図である。
【図７】  本発明に関する構造図である。
【図８】  本発明に関する構造図である。
【図９】  本発明に関する多数個の盗難を知らせるベルスイッチ回路の並列接続回路
【図１０】  本発明に関する盗難防止鍵と盗難を知らせるベルの配置図。
【符号の説明】
１      ラッチボルト
２      ストライク
３      ラッチボルトを固定するネジ
３ａ    ラッチボルトを支える容器
４      ドライブ・ベルト
５      ドライブ・ベルトの安定した動力伝達用の歯車
５ａ    （５）の軸受け台
６      ラッチボルトを抽出する装置
７      ラッチボルトを挿入する（２枚の円形永久磁石Ｍ１およびＭ２）装置
７ａ    円形永久磁石Ｍ１を支える軸受け台
７ｂ    円形永久磁石Ｍ１を装荷するヨーク
７ｃ    円形永久磁石Ｍ２を装荷するヨーク
７ｄ    （１）と（７）を結合する円柱棒
８      ２枚の円形永久磁石Ｍ１およびＭ２間の反発力を調整するネジ
８ａ    円形永久磁石Ｍ２を支える軸受け台
８ｂ    円形永久磁石Ｍ２を固定するネジ
９      盗難を知らせるベル装置
１０      玄関扉の室外から（６）の円形永久磁石を吸引する外部永久磁石
１０ａ    召し合わせ
１０ｂ    玄関扉の室外のアルミニュウム
１０ｃ    玄関扉の室内のアルミニュウム
１１      デットボルト
１２      ストライク
１３      デットボルトを固定するネジ
１３ａ    ラッチボルトを支える容器
１４      ドライブ・ベルト
１５      ドライブ・ベルトの安定した動力伝達用の歯車
１５ａ    （１５）の軸受け台
１６      デットボルトを抽出する装置
１７      ラッチボルトを挿入する（２枚の円形永久磁石Ｍ１およびＭ２）装置
１７ａ    円形永久磁石Ｍ１を支える軸受け台
１７ｂ    円形永久磁石Ｍ１を装荷するヨーク
１７ｃ    円形永久磁石Ｍ２を装荷するヨーク
１７ｄ    （１１）と（１７）を結合する円柱棒
１８      ２枚の円形永久磁石Ｍ１およびＭ２間隔を調整するネジ
１８ａ    円形永久磁石Ｍ２を支える軸受け台
１８ｂ    円形永久磁石Ｍ２を固定するネジ
１９      玄関扉の室外で用いる永久磁石
２０      円柱棒
２１      ヨーク
２２      円形永久磁石
２３      ドライブ・ベルトの端を挿入する溝
２４      円柱棒とドライブ・ベルトを固定するネジ
２５      （２０）と（２１）および（２２）を一体化した装置
２６      塩化ビーニル
２７      塩化ビーニルを加工した容器の内部
２８      接合剤
２９      室外で用いる円形永久磁石Ｍを装荷するヨーク
３０      円形永久磁石Ｍ
３１      スプリング
３２      （３１）の一端を固定する円盤板
３３      ベル・スイッチ回路
３４      電池
３５      ベル装置
３６      （３３）を並列接続した回路
【図１】
2005030185.tif 000003
【図２】
2005030185.tif 000004
【図３】
2005030185.tif 000005
【図４】
2005030185.tif 000006
【図５】
2005030185.tif 000007
【図６】
2005030185.tif 000008
【図７】
2005030185.tif 000009
【図８】
2005030185.tif 000010
【図９】
2005030185.tif 000011
【図１０】
2005030185.tif 000012